(57)【要約】【課題】高速ダビング動作中にエラー発生した場合、バッファアンダーフロー状態が発生し、ダビング動作が途中で停止し、速度を下げてダビング動作をやり直すことが発生しやすくなっていた。【解決手段】バッファに格納されている情報量を検知する情報量検知手段５と、情報量検知手段の出力に応じてバッファ手段からの情報転送速度を変化させる速度制御手段６を備えて、バッファ内の情報量が少なくなった場合にバッファからの情報転送速度を抑えて、バッファアンダーフローを発生させにくくする。【選択図】図１
2006012263.tif 000002
【特許請求の範囲】
【請求項１】
記録媒体から情報を再生する再生処理手段と、前記再生処理手段を制御するシステム制御手段と、前記再生処理手段の出力を格納し、格納した情報を外部に対して転送するバッファ手段と、前記バッファ手段に格納されている情報量を検知する情報量検知手段と、前記情報量検知手段の出力に応じて前記バッファ手段からの情報転送速度を変化させる速度制御手段を備えた情報再生装置。
【請求項２】
記録媒体から情報を再生する再生処理手段と、前記再生処理手段を制御するシステム制御手段と、前記再生処理手段の出力を格納し、格納した情報を外部に対して転送するバッファ手段と、前記バッファ手段に格納されている情報量を検知する情報量検知手段と、前記情報量検知手段の出力に応じて前記バッファ手段からの情報転送速度を一定範囲内のいずれかの速度に変化させる速度制御手段を備えた情報再生装置。
【請求項３】
情報量検知手段で検知した情報量が所定値未満である場合に、速度制御手段でバッファ手段からの情報転送速度を変化させることを特徴とする請求項１または請求項２記載の情報再生装置。
【請求項４】
情報量検知手段で検知した情報量が所定値以上である場合に、速度制御手段でバッファ手段からの情報転送速度を変化させることを特徴とする請求項１または請求項２記載の情報再生装置。
【請求項５】
情報量検知手段で検知可能な検知範囲を複数の範囲に分割し、情報量検知手段で検知した情報量がいずれの範囲であるかを判断し、速度制御手段でバッファ手段からの情報転送速度を範囲に応じた速度に変化させることを特徴とする請求項１または請求項２記載の情報再生装置。
【請求項６】
情報量検知手段で検知した情報量が、前回検知した情報量よりも減少している場合に、速度制御手段でバッファ手段からの情報転送速度を変化させることを特徴とする請求項１または請求項２または請求項３または請求項４または請求項５記載の情報再生装置。
【請求項７】
情報量検知手段で検知した情報量が、前回検知した情報量よりも増加している場合に、速度制御手段でバッファ手段からの情報転送速度を変化させることを特徴とする請求項１または請求項２または請求項３または請求項４または請求項５記載の情報再生装置。
【請求項８】
情報量検知手段で検知した情報量と前回検知した情報量との比較結果に応じて、速度制御手段でバッファ手段からの情報転送速度を変化させることを特徴とする請求項１または請求項２または請求項３または請求項４または請求項５記載の情報再生装置。
【請求項９】
再生した情報をバッファに格納した後、前記バッファから情報を転送する情報再生方法において、記録媒体から情報を再生する再生処理ステップと、前記再生処理ステップを制御するシステム制御ステップと、前記バッファに格納されている情報量を検知する情報量検知ステップと、前記情報量検知ステップの出力に応じて前記バッファからの情報転送速度を変化させる速度制御ステップを有することを特徴とする情報再生方法。
【請求項１０】
再生した情報をバッファに格納した後、前記バッファから情報を転送する情報再生方法において、記録媒体から情報を再生する再生処理ステップと、前記再生処理ステップを制御するシステム制御ステップと、前記バッファに格納されている情報量を検知する情報量検知ステップと、前記情報量検知ステップの出力に応じて前記バッファからの情報転送速度を一定範囲内のいずれかの速度に変化させる速度制御ステップを有することを特徴とする情報再生方法。
【請求項１１】
情報量検知ステップで検知した情報量が所定値未満である場合に、速度制御ステップでバッファからの情報転送速度を変化させることを特徴とする請求項９または請求項１０記載の情報再生方法。
【請求項１２】
情報量検知ステップで検知した情報量が所定値以上である場合に、速度制御ステップでバッファからの情報転送速度を変化させることを特徴とする請求項９または請求項１０記載の情報再生方法。
【請求項１３】
情報量検知ステップで検知可能な検知範囲を複数の範囲に分割し、情報量検知ステップで検知した情報量がいずれの範囲であるかを判断し、速度制御ステップでバッファ手段からの情報転送速度を、範囲に応じた速度に変化させることを特徴とする請求項９または請求項１０記載の情報再生方法。
【請求項１４】
情報量検知ステップで検知した情報量が、前回検知した情報量よりも減少している場合に、速度制御ステップでバッファからの情報転送速度を変化させることを特徴とする請求項９または請求項１０または請求項１１または請求項１２または請求項１３記載の情報再生方法。
【請求項１５】
情報量検知ステップで検知した情報量が、前回検知した情報量よりも増加している場合に、速度制御ステップでバッファからの情報転送速度を変化させることを特徴とする請求項９または請求項１０または請求項１１または請求項１２または請求項１３記載の情報再生方法。
【請求項１６】
情報量検知ステップで検知した情報量と前回検知した情報量との比較結果に応じて、速度制御ステップでバッファからの情報転送速度を変化させることを特徴とする請求項９または請求項１０または請求項１１または請求項１２または請求項１３記載の情報再生方法。
【発明の詳細な説明】
【技術分野】
【０００１】
本発明は、記録媒体から情報を再生する情報再生装置および情報再生方法に関するものである。
【背景技術】
【０００２】
近年、ミニディスク（以下、ＭＤと示す）やＣＤ−Ｒ、ＤＶＤ−Ｒ、ＤＶＤ−ＲＷ、ＤＶＤ−ＲＡＭ等のような記録再生可能な記録媒体、並びにこれらの記録媒体に対応した記録再生装置が広く普及している。また、同一の筐体やケース内にＣＤプレーヤーやＤＶＤプレーヤーなどの再生装置と、ＭＤレコーダーやＤＶＤレコーダーなどの記録装置を収納した一体型の機器等も普及している。このような一体型機器等では、一般に再生装置によって再生した情報を記録装置で記録する動作（以下、ダビング動作と示す）を行う機能も備えられており、さらに最近ではダビング動作を短時間で行うために、通常の再生速度よりも速い再生速度で再生を行い、通常の記録速度よりも速い記録速度で記録する高速ダビング動作の機能を備えているものも多く見られる。
【０００３】
高速ダビング動作を行った場合、情報を再生しようとする記録媒体を通常の再生速度よりも速い速度で情報を再生するので、通常の再生速度での再生時では問題にならない程度の記録媒体上のゴミや傷、変形、振動等によっても再生中にエラーが発生して記録媒体から情報を正しく再生できなくなり、記録装置側で記録動作中に記録する情報が途切れるなどダビング動作を正しく完了できないことがある。一般的に再生速度を高速化するほど再生時のエラー発生の可能性は高くなる。
【０００４】
図８に高速ダビング動作機能を備えた従来の情報再生装置のブロック図を示す。図８において、従来の情報再生装置は、記録媒体１から情報を再生する再生処理手段２と、再生処理手段２の出力を格納し、記録装置１１に対して情報を転送するバッファ手段３と、バッファ手段３の情報量を検知する情報量検知手段５と、情報量検知手段５の出力に応じて再生処理手段２、バッファ手段３を制御するシステム制御手段４で構成されている。
【０００５】
このような従来の情報再生装置の動作は以下のようになっている。まず記録媒体１から情報を再生し、再生処理手段２の出力をバッファ手段３に格納する。次に、バッファ手段３から記録装置１１に対して、バッファ手段３に格納されている情報を転送する。情報量検知手段５ではバッファ手段３に格納されている情報量を検知し、それをシステム制御手段４に通知する。システム制御手段４は、情報量検知手段５からの出力に応じて、バッファ手段３にこれ以上情報を格納できない状態（以下、バッファフル状態と示す）になった場合には、再生手段２に対して、再生を停止してバッファ手段３への情報格納を停止するように制御する。また、バッファ手段３に情報を格納する空きが発生すれば、再生手段２に対して、再びバッファ手段３への情報格納を行うように制御する。
【０００６】
一方、バッファ手段３から記録装置１１への情報転送は、バッファ手段３に格納されている情報がなくならない限り、常に一定の速度で転送されている。
【０００７】
また、再生中にエラーが発生した場合には、再生処理手段２がエラー発生をシステム制御手段４に通知する。システム制御手段４は、再生処理手段２に対して、再生を中断してバッファ手段３への情報の格納を停止し、エラー発生箇所に戻って再生をやり直し、バッファ手段３への情報格納を再開するように制御する。
【０００８】
さらに、高速ダビング動作時の再生中のエラー対策として、記録媒体１から通常の再生速度のＮ（Ｎは１以上の任意の値）倍の速度で再生を行い、再生した情報を一旦バッファ手段３に格納し、バッファ手段３から記録装置１３に対してＭ（Ｍは１以上Ｎ未満の任意の値）倍の速度で情報を転送するという構成をとっている。バッファ手段３への情報格納速度Ｎを、バッファ手段３からの情報転送速度Ｍより大きくすることで、バッファ手段３内にある程度の情報が蓄積できるようにして、再生中にエラーが発生した場合は、バッファ手段３から記録装置１１への情報転送はバッファ手段３内の情報がなくならない限り継続し、一方バッファ手段３への情報格納は再生を中断して停止し、エラー発生箇所に戻って再生を行う構成である。
【０００９】
このような構成により、バッファ手段３内に格納されている情報が全て転送されてしまう前に、エラー発生箇所からの再生を行い、バッファ手段３への情報の格納が再開できれば、再生中にエラーが発生しても記録装置１１への情報の転送は途切れることなく実現できる。
【００１０】
従来の情報再生装置では、上述のように、バッファ手段３内にある程度の情報を蓄積しておくことで、再生中にエラーが発生しても、バッファ手段３内に格納されている情報がなくなる前に再生を再開することで、再生中のエラーの対応を強化している。
【特許文献１】特開２００１−３５０７９号公報
【発明の開示】
【発明が解決しようとする課題】
【００１１】
図１０に従来の情報再生装置で高速ダビング動作をした時の、バッファ手段３に格納されている情報量と記録媒体１からバッファ手段３への情報格納速度と、バッファ手段３から記録装置１１への情報転送速度の関係の図を示す。
【００１２】
図１０において、時間ｔｄ、ｔｆはバッファフル状態のタイミング、時間ｔｅ、ｔｇはバッファフル状態の後に、バッファ手段３に情報を格納する空きができ、記録媒体１からバッファ手段に情報格納が再開されたタイミング、時間ｔｈ、ｔｊ、ｔｎは再生中にエラーが発生したタイミング、時間ｔｉ、ｔｌはエラー発生箇所に戻って再生をやり直し、バッファ手段３に情報格納が再開されたタイミング、時間ｔｐはバッファ手段３内の情報がなくなってしまった状態（以下、バッファアンダーフロー状態と示す）のタイミングである。また、速度Ｖｉはバッファ手段３への情報格納速度、速度Ｖｏはバッファ手段３からの情報転送速度である。
【００１３】
図１０を参照して、時系列で従来の情報再生装置での高速ダビング動作について、説明する。バッファ手段３への情報格納と同時に、バッファ手段３からの情報転送が開始されるため、バッファ手段３内の情報量は（Ｖｉ−Ｖｏ）の傾きで増加する。バッファフル状態（図１０の時間ｔｄ）になると、バッファ手段３への情報の格納が停止し、一方、バッファ手段３からの情報転送は継続するので、バッファ手段３内の情報量は（−Ｖｏ）の傾きで減少する。バッファ手段３に情報を格納する空きができる（図１０の時間ｔｅ）と、バッファ手段３への情報の格納が再開されるため、バッファ手段３内の情報量は再び（Ｖｉ−Ｖｏ）の傾きで増加する。時間ｔｆ、ｔｇも上述と同じ動作である。次に再生中にエラーが発生する（図１０の時間ｔｈ）と、再生処理手段２は再生を中断してバッファ手段３への情報格納を停止し、エラー発生箇所に戻って情報を再度再生する準備を行う。この間（図１０の時間ｔｈからｔｉまでの間）は、バッファ手段３内の情報量は（−Ｖｏ）の傾きで減少する。エラー発生箇所からの情報再生が再開する（図１０の時間ｔｉ）と、バッファ手段３内の情報量は再び（Ｖｉ−Ｖｏ）の傾きで増加する。さらに再生中にエラーが発生する（図１０の時間ｔｊ）と上述と同じように動作する（図１０の時間ｔｊからｔｌまでの間）。さらに、再生中にエラーが発生する（図１０の時間ｔｎ）と、バッファ手段３内の情報量は（−Ｖｏ）の傾きで減少する。しかし、時間ｔｎの時点でバッファ手段３に格納されている情報量が少ないため、エラー発生箇所に戻って再度再生する準備が完了する前に、バッファ手段３内の情報がなくなり（図１０の時間ｔｐ）、バッファアンダーフロー状態になってしまう。
【００１４】
バッファアンダーフロー状態になってしまった場合、記録装置１１側への情報転送が途切れてしまい、記録装置１１側での記録が正常に行われなくなるので、一旦、再生／記録両方を停止し、エラーが発生した箇所が存在するタイトル、あるいは記録単位の先頭に戻って、ダビング動作を再開することになる。さらに、前回と同じ速度でダビング動作をした場合、同様のエラーが発生し、バッファアンダーフロー状態が再発する可能性が高いため、前回よりも速度を下げて、ダビング動作を行う。
【００１５】
上述のように、従来の情報再生装置では、再生中のエラー発生したタイミングでバッファ手段３内の情報量が少ない場合、バッファアンダーフロー状態が発生する可能性が大きく、バッファアンダーフロー状態が発生した場合には、速度を下げてダビング動作をやり直すことになる。
【００１６】
しかしながら、高速ダビング動作の速度が高速になるほど、再生中のエラー発生時にリトライ箇所に戻って再生を再開する準備をしている間にバッファ手段３から転送される情報量は多くなり、再生再開の準備が完了するまでにバッファ手段３内の情報量がなくなりバッファアンダーフロー状態が発生する可能性は大きくなるという課題があった。
【００１７】
また、バッファアンダーフロー状態が発生することにより、速度を下げてダビング動作をやり直すことになるので、結果としてダビング動作に要する時間が長くなってしまうという課題もあった。
【００１８】
また、バッファ手段３のサイズを大きくすることでバッファ手段３内に格納する情報量を多くすることも可能であるが、コストアップになるという課題がある。
【００１９】
これらの課題を解決するための手法として、図９に示すように、再生装置７側と記録装置１１側の両方にバッファ手段３を備え、これらの両方のバッファ手段３内の情報量を情報量検知手段５で検知し、両方の情報量検知手段５の出力に状況に応じて転送制御手段８で再生装置７から記録装置１１の情報の転送を継続するか、停止するかを制御するという技術が提案されている（例えば、特許文献１参照）。
【００２０】
しかしながら、先行文献１の技術では記録装置１１にもバッファ手段３を備える必要があり、また再生装置７と記録装置１１の両方に情報量検知手段５を備え、その両方からの出力をもとに転送制御手段８で再生側のバッファ制御手段３を制御する構成のため、再生装置７と記録装置１１の両方を制御する必要もあり、さらに回路規模が非常に大きくなり、制御も複雑になるという課題があった。
【００２１】
また、再生装置７から記録装置１１への情報の転送を停止してもダビング動作ができるような対応を記録装置１１でも行わなければならないという課題もあった。
【００２２】
本発明は、かかる課題を解決し、バッファ手段３のサイズを大きくするというようなコストアップを必要とせず、さらに記録装置側の制御を全く不要として再生装置側だけの制御で、再生中にエラー発生した場合でもアンダーフロー状態が発生してダビング動作が停止する可能性が低くなるように制御可能な情報再生装置を提供することを目的とする。
【課題を解決するための手段】
【００２３】
上記課題を解決するために、本発明の情報再生装置は、記録媒体から情報を再生する再生処理手段と、再生処理手段を制御するシステム制御手段と、再生処理手段の出力を格納し、格納した情報を外部に対して転送するバッファ手段と、バッファ手段に格納されている情報量を検知する情報量検知手段と、情報量検知手段の出力に応じてバッファ手段からの情報転送速度を変化させる速度制御手段を備えて、構成している。
【発明の効果】
【００２４】
本発明は、高速ダビング動作を行う情報再生装置において、再生中にエラーが発生した場合でも、バッファアンダーフロー状態になってダビング動作が停止する可能性を低くして、ダビング動作を継続することができるという効果がある。
【００２５】
また、従来の情報再生装置に比べて、バッファメモリを増加させるというようなコストアップなしで実現できるという効果もある。
【００２６】
また、記録装置側のバッファ手段有無に関わらず、記録装置側の制御も一切必要としないため、回路構成が非常に簡単であり、かつ制御も簡単であるという効果もある。
【発明を実施するための最良の形態】
【００２７】
以下、本発明の実施の形態について図面を参照しながら説明する。
【００２８】
（実施の形態１）
図１に、本発明の実施の形態１における情報再生装置のブロック図を示す。
【００２９】
はじめに、図１を参照しながら、実施の形態１の情報再生装置の構成について説明を行う。実施の形態１の情報再生装置は、記録媒体１から情報を再生する再生処理手段２と、再生処理手段２を制御するシステム制御手段４と、再生処理手段２の出力を格納し格納した情報を外部に対して転送するバッファ手段３と、バッファ手段３に格納されている情報量を検知する情報量検知手段５と、情報量検知手段５の出力に応じてバッファ手段３からの情報転送速度を変化させる速度制御手段６を備えている。
【００３０】
次に、実施の形態１の情報再生装置および情報再生方法の動作について説明する。
【００３１】
まず、システム制御手段４で再生処理手段２を制御し、記録媒体１から情報を再生する。再生処理手段２からの出力はバッファ手段３に格納される。バッファ手段３に格納された情報は、速度制御手段６によって設定された速度で、記録装置１１に転送される。
【００３２】
次に、再生処理手段２の動作について、図２を参照しながら説明する。再生処理手段２はシステム制御手段４の指示に従い動作を行う。まず、システム制御手段４からの指示された記録媒体１上の指定位置に移動をする（図２ステップ１）。次にシステム制御手段４からの指示が待機指示なのか再生指示なのかを判断する（図２ステップ２）。待機指示の場合、その場で待機する（図２ステップ３）。再生指示の場合、記録媒体１上の指定位置から情報の再生を行い、処理した後にバッファ手段３に情報を格納する（図２ステップ４）。
【００３３】
次に情報量検知手段５の動作について、図３を参照しながら説明する。情報量検知手段５では、バッファ手段３内の情報量を所定のタイミング毎に取得する（図３ステップ１）。取得した情報量がバッファフル状態であるかどうかをチェックし（図３ステップ２）、バッファフル状態である場合、それをシステム制御手段４に通知する（図３ステップ３）。バッファフル状態でない場合、取得した情報量がバッファアンダーフロー状態であるかどうかをチェックし（図３ステップ４）、バッファアンダーフロー状態である場合、それをシステム制御手段４に通知する（図３ステップ５）。バッファフル状態でもバッファアンダーフロー状態でもない場合は、取得した情報量を速度制御手段６に通知する（図３ステップ６）。
【００３４】
次に速度制御手段６の動作について、図４を参照しながら説明する。速度制御手段６は、情報量検知手段５から通知されるバッファ手段３内に格納されている情報量を取得する（図４ステップ１）。取得した情報量がバッファアンダーフロー状態であるかどうかをチェックする（図４ステップ２）。バッファアンダーフロー状態であれば、バッファ手段３からの情報転送を停止し、バッファアンダーフロー状態発生によりシステム制御手段４が設定する新しい情報格納速度よりも低い情報転送速度をバッファ手段３に対して設定する（図４ステップ３）。バッファアンダーフロー状態でなければ、情報量検知手段５から取得した情報量に対応する情報転送速度を決定し（図４ステップ４）、その情報転送速度をバッファ手段３に設定する（図４ステップ５）。
【００３５】
最後にシステム制御手段４の動作について、図５を参照しながら説明する。システム制御手段４は、再生処理手段２からのエラー発生通知と、情報量検知手段５からの情報量通知を受けて処理を行う。まず、再生処理手段２からエラー発生の通知があるかどうかをチェックする（図５ステップ１）。エラー通知がある場合、記録媒体１からの情報の再生を中断してエラー発生箇所に戻って情報再生を再開するように再生処理手段２を制御する（図５ステップ２）。エラー発生通知がない場合、情報量検知手段５の通知を取得する（図５ステップ３）。情報量検知手段５からの通知がバッファフル状態であるかどうかをチェックし（図５ステップ４）、バッファフル状態であれば、記録媒体１からの情報の再生を中断して、その場で待機するように再生処理手段２を制御する（図５ステップ５）。バッファフル状態でなければ、次にバッファアンダーフローであるかどうかをチェックし（図５ステップ６）、バッファアンダーフロー状態であれば、記録媒体１からの情報の再生を中断して、再生速度を落として、エラー発生箇所のタイトルあるいはトラックあるいは再生単位の先頭から再生を再開するように再生処理手段２を制御する（図５ステップ７）。
【００３６】
次に図６を参照して、本発明の実施の形態１の情報再生装置および情報再生方法の各手段の動作を時系列で説明する。
【００３７】
図６は、実施の形態１の情報再生装置で高速ダビング動作をした時の、バッファ手段３に格納されている情報量と記録媒体１からバッファ手段３への情報格納速度と、バッファ手段３から記録装置１１への情報転送速度の関係を示した図である。
【００３８】
図６において、時間ｔｂ、ｔｄ、ｔｆはバッファフル状態のタイミング、時間ｔｃ、ｔｅ、ｔｇはバッファフル状態の後に、バッファ手段３に情報を格納する空きができ、記録媒体１からバッファ手段３に情報格納が再開されたタイミング、時間ｔｈ、ｔｊ、ｔｎは再生中にエラーが発生したタイミング、時間ｔｉ、ｔｌ、ｔｑはエラー発生箇所に戻って再度再生をやり直し、バッファ手段３に情報格納が再開されたタイミングである。また、速度Ｖｉはバッファ手段３への情報格納速度、速度Ｖｏ１、Ｖｏ２はバッファ手段３からの情報転送速度を示している。
【００３９】
高速ダビング動作開始時に、速度制御手段６はバッファ手段３に、記録装置１１に対してＶｏ１の速度で情報を転送するように設定を行う。バッファ手段３への情報格納と同時に、バッファ手段３からの情報転送が開始され、バッファ手段３内の情報量は（Ｖｉ−Ｖｏ１）の傾きで増加する。情報量検知手段５では、所定のタイミング毎にバッファ手段３内の情報量を検知し、速度制御手段６は情報量検知手段５で検知した情報量が所定値（図６の所定値Ｌ１）未満の場合には、バッファ手段３から記録装置１１への情報転送速度を速度Ｖｏ１に設定する。情報量検知手段５で検知した情報量が所定値Ｌ１以上になる（図６の時間ｔａ）と、バッファ手段３からの情報転送速度を速度Ｖｏ２に設定する。これ以降、再生中にエラーが発生しなければバッファ手段３がバッファフル状態になる（図６の時間ｔｂ）まで、（Ｖｉ−Ｖｏ２）の傾きでバッファ手段３内の情報量が増加していく。バッファフル状態になる（図６の時間ｔｂ）とシステム制御手段４は再生処理手段２に対して、記録媒体１からの再生を停止するように制御し、再生処理手段２からバッファ手段３への情報格納は停止する。この間（図６時間ｔｂから時間ｔｃまでの間）はバッファ手段３から記録装置１１への情報転送のみが行われるので、（−Ｖｏ２）の傾きでバッファ手段３内の情報量は減少する。バッファ手段３内の情報量が減少し、バッファ手段３に情報を格納する空きができる（図６の時間ｔｃ）と、システム制御手段４は再生処理手段２に対して、記録媒体１からの情報再生を指示し、再びバッファ手段３に情報が格納される。すると再び、（Ｖｉ−Ｖｏ２）の傾きでバッファ手段３内の情報量が増加していく。再びバッファフル状態になる（図６の時間ｔｄ）と、上述と同様の動作を繰り返す。図６の時間ｔｄから時間ｔｇまでの処理は、上述と同じである。
【００４０】
再生中にエラーが発生した場合（図６の時間ｔｈ）、システム制御手段４は再生処理手段２に対して、記録媒体１からの情報の再生を中断して、バッファ手段３への情報格納を停止し、エラー発生箇所に戻って再度再生を行うように指示する。
【００４１】
再生処理手段２がバッファ手段３への情報格納を停止し、エラー発生箇所に戻って再生を再開するまでの間（図６の時間ｔｈから時間ｔｉまでの間）はバッファ手段３への情報格納は停止するので、バッファ手段３内の情報量は（−Ｖｏ２）の傾きで減少する。エラー発生箇所からの情報の再生が再開される（図６の時間ｔｉ）とバッファ手段３内の情報量は増加するが、さらに再生中のエラーが発生する（図６の時間ｔｊ）とシステム制御手段４は上述と同様に再生処理手段２に対して、エラー発生箇所に戻って情報再生を行うように制御する。
【００４２】
エラー発生箇所に戻って再生を再開するまでの間（図６の時間ｔｊから時間ｔｌまでの間）に、情報量検知手段５で検知したバッファ手段３内の情報量が所定値Ｌ１未満になった時点（図６の時間ｔｋ）で、速度制御手段６はバッファ手段３からの情報転送速度をＶｏ２からＶｏ１に変化させる。バッファ手段３からの情報転送速度がＶｏ１に変化すると、バッファ手段３内の情報量は（Ｖｉ−Ｖｏ１）の傾きで減少し、減少量は緩やかになる（図６の時間ｔｋから時間ｔｌまでの間）。
【００４３】
従来の情報再生装置でのダビング動作（図１０の時間ｔｊからｔｌまでの間）と比べると、この時間ｔｋからｔｌまでの間のバッファ手段３内の情報量の減少が緩やかになっている。
【００４４】
さらに再生処理手段２でリトライ発生箇所からの情報再生が再開する（図６の時間ｔｌ）と、（Ｖｉ−Ｖｏ１）の傾きでバッファ内の情報量は増加する。情報量検知手段５で検知したバッファ手段３内の情報量が増加し、所定値Ｌ１以上になったことを検知する（図６の時間ｔｍ）と、それに応じて速度制御手段６ではバッファ手段３からの情報転送速度をＶｏ１からＶｏ２に変化させる。するとバッファ手段３内の情報量は（Ｖｉ−Ｖｏ２）の傾きで増加する（図６の時間ｔｍからｔｎまでの間）。
【００４５】
再生中のエラーが再び発生する（図６の時間ｔｎ）と、システム制御手段４は上述と同様に再生処理手段２に対して、エラー発生箇所に戻って情報再生を行うように制御する。バッファ手段３内の情報量は減少し、情報量検知手段６で検知したバッファ手段３内の情報量が所定値Ｌ１未満になったことを検知する（図６の時間ｔｏ）と、速度制御手段６はバッファ手段３からの情報転送速度をＶｏ２からＶｏ１に変化させる。
【００４６】
以上、説明したように本実施の形態１によれば、情報量検知手段５で検知したバッファ手段３内の情報量に応じて速度制御手段６で、バッファ手段３から記録装置１１への情報転送速度を変化させる。バッファ手段３の情報量が所定値Ｌ１未満になった時点でバッファ手段３から記録装置１１への情報転送量を遅くしているので、バッファ手段３内の情報量が所定値Ｌ１未満になってからの情報量の減少速度が遅くなり、この間にエラー発生箇所に戻って情報再生を再開することができる可能性が高くなる。
【００４７】
このようにすることで、再生中にエラー発生しても、バッファアンダーフロー状態になり、ダビング動作が停止してしまう可能性を従来に比べて低くすることが可能である。
【００４８】
また、図１のブロック図からもわかるように、記録装置１１側にバッファ手段３を備える必要もなく、記録装置１１側を制御する必要もないため、回路構成、制御も簡単である。
【００４９】
さらに、従来と同じバッファ手段３のサイズで実現可能である。
【００５０】
なお、本実施の形態の説明において、所定値Ｌ１をしきい値として、情報量検知手段６で検知したバッファ手段３内の情報量がしきい値未満または以上で、バッファ手段３からの情報転送速度を制御するように説明したが、複数のしきい値をもって、それに応じて情報転送速度を制御するようにしても同様に実施可能であることはいうまでもない。
【００５１】
また、しきい値を設けるのではなく、情報量検知手段５の出力に応じた速度を準備し、その速度を情報転送速度とするようにしても同様に実施可能であることはいうまでもない。
【００５２】
また、速度制御手段６で変化させる情報転送速度をある一定範囲内のいずれかの速度にしても同様に実施可能であることはいうまでもない。
【００５３】
また、本実施の形態の説明において、所定値Ｌ１をしきい値として、情報量検知手段５で検知したバッファ手段３内の情報量がしきい値未満または以上で、バッファ手段３からの情報転送速度を制御するように説明したが、情報量検知手段５で検知した情報量が、前回検知した情報量よりも減少している場合と増加している場合で、別々のしきい値をもって、それに応じて情報転送速度を制御するようにしても同様に実施可能であることはいうまでもない。
【００５４】
なお、記録媒体は特にディスクに限るものではなく、メモリカードのような半導体メモリであっても、同様に実施可能であることはいうまでもない。
【００５５】
（実施の形態2）
次に、本発明の実施の形態２における情報再生装置および情報再生方法について説明する。本実施の形態の情報再生装置および情報再生方法のブロック図は実施の形態１のブロック図である図１と同じである。各ブロックの動作は、速度制御手段６以外の動作については同じであるので、ここでは動作が異なる速度制御手段６の動作についてのみ説明する。
【００５６】
実施の形態２の速度制御手段６の動作について、図７を参照しながら説明する。速度制御手段６は、情報量検知手段５から通知されるバッファ手段３内に格納されている情報量を取得する（図７ステップ１）。取得した情報量がバッファアンダーフロー状態であるかどうかをチェックする（図７ステップ２）。バッファアンダーフロー状態であれば、バッファ手段３からの情報転送を停止し、バッファアンダーフロー状態発生によりシステム制御手段４が設定する新しい情報格納速度よりも低い情報転送速度をバッファ手段３に対して設定する（図７ステップ３）。バッファアンダーフロー状態でなければ、前回保持した情報量と今回取得した情報量とを比較する（図７ステップ６）。この比較結果と情報量検知手段５から取得した情報量に対応する情報転送速度を決定し（図７ステップ４）、その情報転送速度をバッファ手段３に設定する（図７ステップ５）。最後に今回取得した情報量を保持しておく（図７ステップ７）。
【００５７】
以上、説明したように本実施の形態２によれば、情報量検知手段５で検知したバッファ手段３内の情報量を保持しておき、前回の情報量と今回取得した情報量の比較結果と、今回の取得した情報量とに応じて速度制御手段６で、バッファ手段３から記録装置１１への情報転送速度を変化させる。つまり、バッファ手段３内の情報量が増加中であるのか、減少中であるのかという情報と、現在のバッファ手段３の情報量とに応じて速度転送手段を変更するので、同じしきい値であってもバッファ手段３内の情報量が増加中の場合には、減少中の場合よりも速い情報転送速度を設定するなどを行うことにより、再生中のエラーがなく、バッファ手段３内の情報量が増加中の時には、従来の情報再生装置および方法よりも高速なダビング動作が可能となり、かつ再生中にエラーが発生した場合でもアンダーフロー状態になり、ダビング動作を停止する可能性が低い情報妻子画装置および方法を実現することができる。
【産業上の利用可能性】
【００５８】
本発明の情報再生装置および情報再生方法は、高速ダビング動作中にエラーが発生した場合でも、バッファアンダーフロー状態になり、ダビング動作を停止する可能性を低くして、ダビング動作を継続することができ、有用である。
【図面の簡単な説明】
【００５９】
【図１】本発明の実施の形態１および実施の形態２の情報再生装置のブロック図
【図２】本発明の実施の形態１および実施の形態２の再生処理手段（ステップ）の処理手順を示すフローチャート
【図３】本発明の実施の形態１および実施の形態２の情報量検知手段（ステップ）の処理手順を示すフローチャート
【図４】本発明の実施の形態１の速度制御手段（ステップ）の処理手順を示すフローチャート
【図５】本発明の実施の形態１および実施の形態２のシステム制御手段（ステップ）の処理手順を示すフローチャート
【図６】本発明の実施の形態１の情報再生装置および情報再生方法の動作を説明する特性図
【図７】本発明の実施の形態２の速度制御手段（ステップ）の処理手順を示すフローチャート
【図８】従来の情報再生装置のブロック図
【図９】従来の情報再生装置のブロック図
【図１０】従来の情報再生装置および情報再生方法の動作を説明する特性図
【符号の説明】
【００６０】
１    記録媒体
２    再生処理手段
３    バッファ手段
４    システム制御手段
５    情報量検知手段
６    速度制御手段
７    再生装置
８    転送制御手段
９    記録側システム制御手段
１０    記録処理手段
１１    記録装置
１２    記録媒体
【図１】
2006012263.tif 000003
【図２】
2006012263.tif 000004
【図３】
2006012263.tif 000005
【図４】
2006012263.tif 000006
【図５】
2006012263.tif 000007
【図６】
2006012263.tif 000008
【図７】
2006012263.tif 000009
【図８】
2006012263.tif 000010
【図９】
2006012263.tif 000011
【図１０】
2006012263.tif 000012